(57)【要約】      （修正有）【課題】ハンドオーバの管理に関して、従来の移動ネットワークよりも、ソースホームノードＢが格納するパケットを少なくすることにより、ホームノードＢの設計を単純化することができ、コストを低減する。【解決手段】コアネットワークは、ルーティングモジュールを通じてソースホームノードＢ及びターゲットホームノードＢにリンクされる。ルーティングモジュールにおいて、通知メッセージ２１４が受信され、ハンドオーバがターゲットホームノードＢによって受理されたことが知らされる。コアネットワークから受信したパケットは、メモリ内に格納される（２１７）。ソースホームノードＢからの転送リンク２１５が作成され、転送リンクにおいて受信された少なくとも幾つかのパケットがメモリ２１９内に格納される。メモリ内のパケットは、後に端末とターゲットホームノードＢとの間に無線リンクが確立した際に、端末に送信される（２２４）。【選択図】図２Ｂ
2011234350.tif 000002
【特許請求の範囲】
【請求項１】
少なくとも１つの端末（１００）の移動ネットワークにおけるハンドオーバをハンドリングするための方法であって、
前記移動ネットワークは、コアネットワーク（１０５）及びホームネットワーク（１０６）を有し、該ホームネットワークは、前記端末の通信をハンドリングするソースホームノードＢ及びターゲットホームノードＢ（１０１）に少なくともリンクされるルーティングモジュール（２０１）を備え、
前記コアネットワークは、前記ルーティングモジュールを通じて前記ソースホームノードＢ及び前記ターゲットホームノードＢにリンクされ、
該方法は、前記ルーティングモジュールにおける以下のステップ：
−  ハンドオーバが前記ターゲットホームノードＢによって受理されたことを通知する通知メッセージ（２１４）を受信するステップと、
−  前記コアネットワークから受信されたパケットをメモリ内に格納するステップ（２１７）と、
−  前記ソースホームノードＢからの転送リンク（２１５）を作成するステップと、
−  前記転送リンクにおいて受信された少なくとも幾つかのパケットをメモリ内に格納するステップ（２１９）と
を含み、
前記転送リンクにおいて受信されたパケットは、一方において、前記コアネットワーク宛のパケットであり、他方において、前記端末宛であるが前記ソースホームノードＢによって未だ完全に送信されていないパケットであり、
前記メモリ内の前記パケットは、後に前記端末と前記ターゲットホームノードＢとの間に無線リンクが確立された際に、前記端末に送信される（２２４）、
少なくとも１つの端末（１００）の移動ネットワークにおけるハンドオーバをハンドリングするための方法。
【請求項２】
前記転送リンクにおいて受信された前記コアネットワーク宛のパケットは、前記メモリ内に格納されることなく前記コアネットワークに転送される、請求項１に記載の方法。
【請求項３】
前記転送リンクにおいて受信された前記コアネットワーク宛のパケットは、前記メモリ内に格納され、
前記方法は、前記端末と前記ターゲットホームノードＢとの間に前記無線リンクが確立された後に、以下のステップ：
−  前記端末によって前記ターゲットホームノードＢを通じて送信された前記コアネットワーク宛のパケットを受信するステップと、
−  前記転送リンクにおいて受信された前記コアネットワーク宛のパケット、及び前記端末によって前記ターゲットホームノードＢを通じて送信された前記コアネットワーク宛のパケットを、再順序付けするステップと、
−  前記再順序付けされたパケットを前記コアネットワークに送信するステップと
をさらに含む、請求項１又は２に記載の方法。
【請求項４】
前記端末と前記ターゲットホームノードＢとの間に前記無線リンクが確立された後に、以下のステップ：
−  前記転送リンクにおいて受信された前記端末宛のパケット、及び前記コアネットワークから受信されたパケットを、再順序付けするステップと、
−  前記再順序付けされたパケットを前記端末に送信するステップと
をさらに含む、請求項１〜３のいずれか一項に記載の方法。
【請求項５】
前記端末と前記ターゲットホームノードＢとの間に前記無線リンクが確立された後に、以下のステップ：
−  一時ダウンリンク（８５）を作成するステップと、
−  前記コアネットワークから受信された前記端末宛のパケットを該端末に送信するステップと、
−  ハンドオーバ完了を示すメッセージを受信するステップと、
−  前記一時ダウンリンクを解放するステップと
をさらに含む、請求項１〜４のいずれか一項に記載の方法。
【請求項６】
少なくとも１つの端末（１００）の移動ネットワークにおけるハンドオーバをハンドリングするように構成されるルーティングモジュール（２０１）であって、
前記移動ネットワークは、コアネットワーク（１０５）及びホームネットワーク（１０６）を有し、該ホームネットワークは、前記端末の通信をハンドリングするソースホームノードＢ及びターゲットホームノードＢ（１０１）に少なくともリンクされるルーティングモジュール（２０１）を備え、
前記コアネットワークは、前記ルーティングモジュールを通じて前記ソースホームノードＢ及び前記ターゲットホームノードＢにリンクされ、
該ルーティングモジュールは、
−  ハンドオーバが前記ターゲットホームノードＢによって受理されたことを通知する通知メッセージ（２１４）を受信するように構成される受信ユニット（１００１）と、
−  前記ソースホームノードＢからの転送リンク（２１５）を作成するように構成されるリンク管理ユニット（１００２）と、
−  前記コアネットワークから受信されたパケットを格納すると共に、前記転送リンクにおいて受信された少なくとも幾つかのパケットを格納するように構成されるメモリ（１００３）と、
−  前記メモリ内の前記パケットを、後に前記端末と前記ターゲットホームノードＢとの間に無線リンクが確立された際に、前記端末に送信するように構成される送信ユニット（１００４）と
を備え、
前記転送リンクにおいて受信されたパケットは、一方において、前記コアネットワーク宛のパケットであり、他方において、前記端末宛であるが前記ソースホームノードＢによって未だ完全に送信されていないパケットである、ルーティングモジュール。
【請求項７】
前記送信ユニット（１００４）は、前記転送リンク（８４）において受信された前記コアネットワーク（１０５）宛のパケットを、前記メモリ内に格納することなく前記コアネットワークに転送するようにさらに構成される、請求項６に記載のルーティングモジュール。
【請求項８】
前記メモリ（１００３）は、前記転送リンクにおいて受信された前記コアネットワーク宛のパケットを格納するように構成され、
前記受信ユニットは、前記端末によって前記ターゲットホームノードＢを通じて送信された前記コアネットワーク宛のパケットを受信するように構成され、
前記ルーティングモジュールは、
−  前記転送リンクにおいて受信された前記コアネットワーク宛のパケット、及び前記端末によって前記ターゲットホームノードＢを通じて送信された前記コアネットワーク宛のパケットを、再順序付けするように構成される再順序付けユニット（１００５）をさらに備え、
前記送信ユニット（１００４）は、前記再順序付けされたパケットを前記コアネットワークに送信するように構成される、請求項６又は７に記載のルーティングモジュール。
【請求項９】
−  前記転送リンクにおいて受信された前記端末宛のパケット、及び前記コアネットワークから受信されたパケットを、再順序付けするように構成される再順序付けユニット（１００５）をさらに備え、
前記送信ユニット（１００４）は、前記再順序付けされたパケットを前記端末に送信するように構成される、請求項６〜８のいずれか一項に記載のルーティングモジュール。
【請求項１０】
前記リンク管理ユニット（１００２）は、一時ダウンリンク（８５）を作成するように構成され、
前記送信ユニット（１００４）は、前記コアネットワーク（１０５）から受信された前記端末宛のパケットを該端末に送信するように構成され、
前記受信ユニット（１００１）は、ハンドオーバ完了を示すメッセージを受信するように構成され、
前記ルーティングモジュールは、前記メッセージの受信時に前記一時ダウンリンクを解放するように構成される解放ユニットをさらに備える、請求項６〜９のいずれか一項に記載のルーティングモジュール。
【請求項１１】
少なくとも１つの端末（１００）のハンドオーバをハンドリングするための移動ネットワークのホームネットワーク（１０６）内のホームノードＢ（１０１）であって、
前記ホームネットワークは、少なくともさらにもう１つのホームノードＢと、請求項６〜１０のいずれか一項に記載のルーティングモジュール（２０１）とを備え、
前記コアネットワークは、前記ルーティングモジュールを通じて前記ホームノードＢにリンクされ、
前記ホームノードＢは前記ルーティングモジュールを備える、ホームノードＢ。
【請求項１２】
少なくとも１つの端末（１００）のハンドオーバをハンドリングするための移動ネットワーク内のホームネットワーク（１０６）であって、
前記移動ネットワークは、コアネットワーク（１０５）及び該ホームネットワーク（１０６）を有し、該ホームネットワークは、少なくとも２つのホームノードＢ（１０１）にリンクされる請求項６〜１０のいずれか一項に記載のルーティングモジュール（２０１）を備え、
前記コアネットワークは、前記ルーティングモジュールを通じて前記ホームノードＢにリンクされる、ホームネットワーク。
【請求項１３】
少なくとも１つの端末（１００）のハンドオーバをハンドリングするための移動ネットワークであって、該移動ネットワークは、コアネットワーク（１０５）及び請求項１２に記載のホームネットワーク（１０６）を有する、移動ネットワーク。
【発明の詳細な説明】
【技術分野】
【０００１】
本発明は包括的には移動ネットワークに関し、より詳細には、ハンドオーバの管理に関する。
【背景技術】
【０００２】
ＬＴＥ（「ロングタームエボリューション」を表す）アーキテクチャは、移動ネットワークアーキテクチャ（「第３世代パートナーシッププロジェクト」を表す３ＧＰＰ、リリース９）を規定する。
【０００３】
図１は、このタイプのアーキテクチャによるネットワークを示している。このネットワークでは、制御プレーンとデータプレーンは、別々にハンドリングされる。このネットワークは、コアネットワーク部１０５及びホームネットワーク部、すなわちＨＡＮ（「ホームエリアネットワーク」を表す）１０６を備える。コアネットワーク１０５は、移動管理エンティティ１０２（ＭＭＥ）、サービングゲートウェイ１０３（Ｓ−ＧＷ）、及びパケットデータネットワークゲートウェイ１０４（ＰＤＮ−ＧＷ）を含む。ＰＤＮ−ＧＷ１０４は、インターネットネットワーク１１０にリンクされることができる。
【０００４】
ホームネットワーク１０６は、それぞれのカバレッジエリアを有する複数のホームノードＢ１０１を含むことができる。これらの状況において、端末１００（すなわちユーザ機器を表す「ＵＥ」）が１つのホームノードＢのカバレッジエリアから別のホームノードＢのカバレッジエリアに進むとき、ハンドオーバがハンドリングされる。ハンドオーバの前とハンドオーバの開始時において、ＵＥは初めソースホームノードＢによってハンドリングされ、ハンドオーバの終了時において、ＵＥはターゲットホームノードＢによってハンドリングされる。移行時間期間中、ソースホームノードＢは、ハンドオーバをトリガした後に、ＵＥとターゲットホームノードＢとの間の無線リンクを確立するのに先だって、コアネットワーク及びＵＥから受信したパケットをターゲットホームノードＢに送信できるようにするために、それらのパケットをバッファリングするべきである。
【０００５】
ダウンリンクにおいて、ソースホームノードＢは、以下のパケットを格納するべきである。
−  肯定応答モードにおいて、
・ハンドオーバの開始前にコアネットワークから受信されたパケットであるが肯定応答されていないパケット（ハンドオーバの開始前に端末に未だ送信されていないパケット、及び端末に既に送信されたが未だ肯定応答されていないパケットを意味する）、及び
・新着パケット（ハンドオーバの開始後にコアネットワークから受信されたパケットを意味する）、
−  非肯定応答モードにおいて、
・ハンドオーバの開始前にコアネットワークから受信されたがハンドオーバの開始前に端末に送信されていないパケット、及び
・新着パケット（ハンドオーバの開始後にコアネットワークから受信されたパケットを意味する）。
【０００６】
アップリンクにおいて、ソースホームノードＢは、以下のパケットを格納するべきである。
−  肯定応答モードにおいて、
・シーケンスから外れたパケット、及び
・端末から受信されたがハンドオーバの開始前にコアネットワークに送信されていないパケット。
【０００７】
さらに、一般的に、ソースホームノードＢにおいてコアネットワークから受信されるパケットは、無線リンクにおいて送信されるように暗号化される。この暗号化は、ホームノードＢに特有の鍵に基づいて、ホームノードＢレベルにおいて実行される。別のホームノードＢによって実行される暗号化は、同一の鍵には基づかない。
【０００８】
これらの状況において、ソースホームノードＢは、コアネットワークから受信される幾つかのパケットを暗号化されたフォーマットでバッファリングし、送信不良の場合には、それらのパケットを暗号化されたフォーマットで端末に再送信することが期待される。ソースホームノードＢは、幾つかのパケットをクリアなフォーマットで格納し、最後のホームノードＢの場合には、それらをターゲットホームノードＢに送信できることが期待される。実際、ソースホームノードＢは、バッファリングされたパケットをクリアなフォーマットでターゲットホームノードＢに送信し、ターゲットホームノードＢがそれらのパケットを端末に送信するために、ターゲットホームノードＢの暗号化鍵を用いてそれらのパケットを暗号化できるようにするべきである。
【発明の概要】
【発明が解決しようとする課題】
【０００９】
これらの状況において、全てのホームノードＢのための関連メモリサイズを静的に供給することが非常に困難となり得ることに留意することが重要である。
【００１０】
これらのストレージ制約は、各ホームノードＢに対して大きなメモリエリアを提供することを暗に意味する。
【課題を解決するための手段】
【００１１】
本発明の第１の態様は、少なくとも１つの端末の移動ネットワークにおけるハンドオーバをハンドリングするための方法を提案する。
移動ネットワークは、コアネットワーク及びホームネットワークを有し、ホームネットワークは、端末の通信をハンドリングするソースホームノードＢ及びターゲットホームノードＢに少なくともリンクされるルーティングモジュールを備える。
コアネットワークは、ルーティングモジュールを通じてソースホームノードＢ及びターゲットホームノードＢにリンクされ、
当該方法は、ルーティングモジュールにおける以下のステップ：
−  ハンドオーバがターゲットホームノードＢによって受理されたことを通知する通知メッセージを受信するステップと、
−  コアネットワークから受信されたパケットをメモリ内に格納するステップと、
−  ソースホームノードＢからの転送リンクを作成するステップと、
−  転送リンクにおいて受信されたパケットをメモリ内に格納するステップと
を含む。
ここで、転送リンクにおいて受信されたパケットは、一方において、コアネットワーク宛のパケットであり、他方において、端末宛であるがソースホームノードＢによって未だ完全に送信されていないパケットであり、
メモリ内のパケットは、後に端末とターゲットホームノードＢとの間に無線リンクが確立された際に、端末に送信される。
【００１２】
本発明の１つの実施の形態によれば、移動ネットワークは、自身のロケーションに依拠してホームネットワーク内の複数のホームノードＢによってハンドリングされることができる端末を備える。ホームネットワークに含まれる全てのホームノードＢが、ルーティングモジュールを通じてコアネットワーク部と通信することができる。換言すれば、ルーティングモジュールは、ホームネットワークの全てのホームノードＢとコアネットワークとの間の接点である。
【００１３】
用語「ルーティングモジュール」は、本発明の１つの実施形態によるデータパケットルーティングを実行することができる、ホームネットワークとコアネットワークとの間に位置する任意のネットワークエンティティに対応する。このエンティティは、たとえばホームネットワークのホームノードＢに位置することもできるし、ホームノードＢの後方で且つコアネットワークの前方である任意の場所に位置することもできる。
【００１４】
端末がホームノードＢのカバレッジエリア内に位置しているとき、その端末はそのホームノードＢによってハンドリングされることができる。端末をハンドリングするホームノードＢは、ソースホームノードＢと呼ばれる。端末のロケーションが変更されると、その端末をハンドリングするのに別のホームノードＢがより適していると決定され得る。端末のロケーションの変更中に、その端末に提供されるサービスの連続性を保証するために、移動ネットワークはハンドオーバを管理する。ハンドオーバをトリガする事象にも、ハンドオーバ決定を行うネットワークエンティティにも何ら制限は加えられない。
【００１５】
たとえば、ハンドオーバ決定は、ソースホームノードＢと端末との間の無線リンクのサービス品質のレベルに基づいて、ソースホームノードＢによって行うことができる。
【００１６】
１つの実施の形態によれば、ハンドオーバをトリガするエンティティが何であれ、ルーティングモジュールは、ターゲットホームノードＢが、ソースホームノードＢによって以前にハンドリングされていた端末のハンドリングを受理することに同意したことを知らされる。このステップにおいて、ルーティングモジュールは、コアネットワークから受信されるパケット、及びソースホームノードＢから受信されるパケットを、メモリへ格納する役割を担う。この目的のために、ルーティングモジュールは、ソースホームノードＢからの転送リンクを作成し、ソースホームノードＢが幾つかのパケットを送信することを可能にする。より正確には、これらの送信されるパケットは、ソースホームノードＢによって端末に送信されることが期待されているが未だ完全に送信されていないパケットに対応する。「未だ完全に送信されていない」という用語は、ソースホームノードＢがパケットを受信したがそれらを未だ送信していないか、或いは端末がそれらのパケットを正しく受信したか否かが定かでないことを意味する。
【００１７】
たとえば、送信が肯定応答送信（パケットについて肯定応答が受信される場合に、そのパケットが正しいと見なされることを意味する）であり、ソースホームノードＢが幾つかのパケットについて未だ肯定応答を受信していない場合、１つの実施の形態によれば、ソースホームノードＢは、転送リンクが作成された際に、これらの肯定応答されていないパケットをルーティングモジュールに送信することができる。
【００１８】
これらの特徴により、ルーティングモジュールは、ハンドオーバのトリガとハンドオーバの終了との間の移行時間期間（無線リンクがターゲットホームノードＢと端末との間で正しく確立されていることを意味する）中に、幾つかのパケットを一時的にバッファリングすることができる。その結果、従来技術による移動ネットワークよりも、ソースホームノードＢが格納するパケットを少なくすることができる。そして、ホームノードＢの設計を単純化することができ、コストを低減することができる。
【００１９】
たとえば、ルーティングモジュールは、ハンドオーバを知らされるとすぐに、コアネットワークから受信されたパケットをソースホームノードＢに送信するのを停止する。ルーティングモジュールは、ターゲットホームノードＢが最終的に暗号化されたフォーマットでそれらのパケットを端末に送信できるようになるまで、可能な限り迅速にそれらのパケットをバッファリングする。パケットはもはやソースホームノードＢにおいては受信されないので、ソースホームノードＢは、もはや新着パケットを格納することを期待されない。
【００２０】
さらに、肯定応答モードに従って送信が行われる際には、ハンドオーバの場合であっても送信におけるパケット順を維持することが重要である。ハンドオーバが発生するとき、ターゲットホームノードＢは、コアネットワークによってターゲットホームノードＢに直接送信されたパケットよりも後に、ソースホームノードＢによって送信された幾つかのパケットを受信する可能性があるが、コアネットワークから直接送信されたパケットは、ソースホームノードＢから受信されたパケットの後に端末に送信される可能性がある。従来技術によれば、パケットシーケンス番号に従って正しい順序でパケットの送信を行うために、受信されたパケットの再順序付けをターゲットホームノードＢが担当する。
【００２１】
この機能は複雑になる可能性がある。本発明の特徴によって、そのような再順序付け機能をルーティングモジュールによって実行するのが容易になる。その結果、本発明の１つの実施形態に従って、ホームノードＢのコストを低減することが可能になる。
【００２２】
１つの実施の形態では、転送リンクの確立により、ソースホームノードＢは、シーケンスから外れたパケットをアップリンクにおいてルーティングモジュールに送信することができる。その結果、ソースホームノードＢは、この種のパケットを格納することをもはや期待されない。
【００２３】
これらの特徴によれば、有利には、ルーティングモジュールレベルにおいて幾つかの機能が導入されていることに起因して、より安価なホームノードＢを提供することが可能になる。複数のホームノードＢをより安価にすることを可能にするために、そのようなルーティングモジュールをホームネットワークごとに提供することが非常に有意義である。
【００２４】
そのようなメカニズムは、任意のタイプのネットワークデバイスにおいて容易に実装することができる。ルーティングモジュールは、ホームネットワーク内部の特定の装置としてもよいし、ホームネットワーク内部の１つのホームノードＢと同じ場所に配置されてもよい。ルーティングモジュールは、１つのホームネットワークのためのパケットバッファ機能の集中化を担当する。この集中化によって、メモリの使用と、ハンドオーバ中の格納及び格納解除（de-storage）のトリガとを、相互的にすることが可能になる。これらの状況において、ルーティングモジュールレベルにおいて、ホームネットワークに適合するようなメモリサイズを供給することが可能である。
【００２５】
そのようなルーティングモジュールは、ハンドオーバ中に、より良好なＱｏＳを提供することができる。実際、そのような特徴によって、ソースホームノードＢとターゲットホームノードＢとの間で交換されるデータフローの数を低減することが可能になる。
【００２６】
さらに、暗号化が行われる場合、ルーティングモジュール内部のこの集中化によって、復号／再暗号化プロセスの必要性を取り除くことが可能になる。これによってレイテンシが改善し、ハンドオーバ中のジッタが低減し、それによって、音声サービスのような高いＱｏＳ制約を有するサービスの場合に特にＱｏＳが改善される。これは、それぞれが小さなカバレッジエリアを持つ複数のホームノードＢを有するホームネットワークにおいて特に有意義となりえる。この種のトポロジでは、より多くの数のハンドオーバが発生する可能性があるため、ハンドオーバ中であってもＱｏＳを維持することが重要である。
【００２７】
ルーティングモジュールにおけるこのメカニズムの実施によって、ホームノードＢをより安価にする事が可能になり、これは単一ホームネットワークにおけるホームノードＢの大規模な配備に関して特に興味深い。
【００２８】
１つの実施の形態では、転送リンクにおいて受信されたコアネットワーク宛のパケットは、メモリ内に格納されることなくコアネットワークに転送される。
【００２９】
そのようなケースは、送信が肯定応答モードでない場合に有利に実行することができる。これらの状況において、コアネットワーク宛のパケットの種々の受信間で同期をハンドリングすることは要求されていない。
【００３０】
１つの実施の形態では、転送リンクにおいて受信されたコアネットワーク宛のパケットは、メモリ内に格納され、
上記方法は、端末とターゲットホームノードＢとの間に無線リンクが確立された後に、以下のステップ：
−  端末によってターゲットホームノードＢを通じて送信されたコアネットワーク宛のパケットを受信するステップと、
−  転送リンクにおいて受信されたコアネットワーク宛のパケット、及び端末によってターゲットホームノードＢを通じて送信されたコアネットワーク宛のパケットを、再順序付けするステップと、
−  再順序付けされたパケットをコアネットワークに送信するステップと
をさらに含む。
【００３１】
これらの状況において、コアネットワークに向けたアップリンクの送信において同期を実行することができる。これらの特徴は、肯定応答モードのアップリンク送信の場合に有利に実行することができる。
【００３２】
上記方法は、端末とターゲットホームノードＢとの間に無線リンクが確立された後に、以下のステップ：、
−  転送リンクにおいて受信された端末宛のパケット、及びコアネットワークから受信されたパケットを、再順序付けするステップと、
−  再順序付けされたパケットを端末に送信するステップと
をさらに含むことができる。
【００３３】
これらの状況において、端末に向けたダウンリンクの送信において同期を実行することができる。これらの特徴は、肯定応答モードのダウンリンク送信の場合に有利に実行することができる。
【００３４】
上記方法は、端末とターゲットホームノードＢとの間に無線リンクが確立された後に、以下のステップ：
−  一時ダウンリンクを作成するステップと、
−  コアネットワークから受信された端末宛のパケットを当該端末に送信するステップと、
−  ハンドオーバ完了を示すメッセージを受信するステップと、
−  一時ダウンリンクを解放するステップと
をさらに含むことができる。
【００３５】
有利には、ルーティングモジュールレベルでバッファリングされたパケットを、端末との無線リンクが確立された直後、ネットワークレベルにおいてハンドオーバが完了する前に送信するために、一時リンクが作成される。ハンドオーバは、ターゲットホームノードＢを通じてコアネットワークと端末との間でリンクが確立されたときに完了していると見なすことができる。次に、ルーティングモジュールとターゲットホームノードＢとの間の一時リンクを解放することができる。
【００３６】
本発明の第２の態様は、本発明の第１の態様の方法を実行するように構成されるルーティングモジュールを提案する。
【００３７】
本発明の第３の態様は、本発明の第２の態様によるルーティングモジュールを備えるホームノードＢを提案する。
【００３８】
本発明の第４の態様は、本発明の第２の態様によるルーティングモジュールを備える移動ネットワークを提案する。
【００３９】
本発明のさらなる特徴及び利点は、以下の説明からより明らかになるであろう。この説明は、単に例示として与えられるものであり、添付の図面と共に読まれるべきである。
【図面の簡単な説明】
【００４０】
【図１】上述したような従来技術による移動ネットワークのアーキテクチャを示す図である。
【図２Ａ】本発明の１つの実施形態による、移動ネットワークを示す図である。
【図２Ｂ】本発明の１つの実施形態による、ハンドオーバをハンドリングするための方法によって実行される主要ステップを示す図である。
【図３】本発明の１つの実施形態を適用することができる移動ネットワークのアーキテクチャを詳細に示す図である。
【図４】複数のホーム発展型ノードＢ（ＨｅＮＢ）を含むホームネットワークを示す図である。
【図５】本発明の１つの実施形態に従って用いられる種々のタイプのベアラを示す図である。
【図６】本発明の１つの実施形態による、ＬＴＥアーキテクチャにおけるデータプレーンの様々なプロトコルスタックを示す図である。
【図７】本発明の一実施形態による、ホームノードＢにおいて統合されるローカルデータルーティングのメカニズムを示す模式図である。
【図８】本発明の１つの実施形態による、ルーティングモジュールにおけるダウンリンクトンネルの使用を示す図である。
【図９】本発明の１つの実施形態による、ルーティングモジュールにおけるアップリンクトンネルの使用を示す図である。
【図１０】本発明の１つの実施形態によるルーティングモジュールを示す図である。
【発明を実施するための形態】
【００４１】
以下において、本発明をネットワークのＬＴＥアーキテクチャへの一例示の適用において説明する。しかしながら、他のタイプのネットワークに同じ原理を適用することは容易である。
【００４２】
図２Ａは、本発明の１つの実施形態による移動ネットワークを示している。この移動ネットワークは、図１を参照して説明されたネットワークに対応する。しかし、それに加えて、１つの実施形態による本方法のステップを実行するために、ホームネットワーク１０６とコアネットワーク１０５との間にルーティングモジュール２０１が含まれている。このルーティングモジュール２０１は、アップリンクにおいてホームネットワーク１０６からＩＰパケットを受信することができ、また、ダウンリンクにおいてコアネットワークからＩＰパケットを受信することができる。本発明の１つの実施形態では、ＵＥはソースホームノードＢによってハンドリングされる。このソースホームノードＢは、幾つかのルールに従って、このＵＥのハンドオーバのトリガを決定することができる。次に、ソースホームノードＢは、この決定をターゲットホームノードＢに知らせることができる。ターゲットホームノードＢは、このハンドオーバを受理する場合、この受理をホームネットワークのルーティングモジュールに通知する。
【００４３】
図２Ｂは、本発明の１つの実施形態による、移動ネットワークにおけるハンドオーバ方法によって実行される主要ステップを示している。
【００４４】
はじめに、ＵＥ１００は、コアネットワーク１０５を通じてデータフロー２１１で通信している。このデータフローは、ＵＥからソースホームノードＢ１０１及びルーティングモジュール２０１を通じて確立される。
【００４５】
ソースホームノードＢは、ＵＥ１００のためのハンドオーバを決定する。ソースホームノードＢは、ターゲットホームノードＢ１０１にメッセージ２１２を発することによって、この決定をターゲットホームノードＢに知らせる。ターゲットホームノードＢは、このメッセージ２１２を受信すると、このハンドオーバを受理することができるか否かを判断するためのアドミッション制御２１３を実行する。このアドミッション制御のステップは、範囲外であるためここでは詳述しない。ターゲットホームノードＢは、このハンドオーバを受理する場合、この変更をルーティングモジュール２０１に知らせるために、通知メッセージ２１４をルーティングモジュールに送信する。
【００４６】
ルーティングモジュールは、この通知メッセージを受信すると、ステップ２１７において、コアネットワーク１０５から受信される、当初はＵＥ１００に宛てられている全てのパケットをメモリ内に格納し始める。その結果、データフロー２１１はダウンリンクにおいてルーティングモジュールレベルで遮断される。この新たなダウンリンクデータフロー２１６は、「新着パケット」を意味する受信パケットの記憶を担当するルーティングモジュールにおいて止められる。
【００４７】
さらに、ルーティングモジュールは、ハンドオーバの開始時においてＵＥに向けて完全に送信されていない全てのパケットをソースホームノードＢに送信させるために、ソースホームノードＢからの転送リンクの確立をトリガする。このために、ルーティングモジュールは、通知応答メッセージ２１５をソースホームノードＢに送信する。このメッセージは、この転送リンクを確立するための一時パラメータを提供することができる。この転送リンクが確立されると、ソースホームノードＢによって送信されるパケットに対応するデータフロー２１８がルーティングモジュール２０１によって受信される。このパケットは、端末に宛てられているがソースホームノードＢによって未だ完全に送信されていないパケットである。これらの受信パケットは、ステップ２１９において、ルーティングモジュールレベルで格納される。
【００４８】
コアネットワークから受信されたパケット及び転送リンクにおいて受信されたパケットは、端末とターゲットホームノードＢとの間の無線リンクが確立されるまで、ルーティングモジュールのメモリ内に格納される。実際に、無線リンクが確立されると、ターゲットホームノードＢがこれらのパケットをＵＥに送信することができるので、ルーティングモジュールは、有利にはこれらのパケットをターゲットホームノードＢに送信することができる。
【００４９】
１つの実施形態では、ルーティングモジュールは、無線準備完了メッセージ２２０の受信によって、ターゲットホームノードＢとＵＥとの間の無線リンクの確立を知らされる。ルーティングモジュール２０１は、このメッセージを受信すると、データフロー２２３及び２２４を通じて、ＵＥに関して記憶されたパケットを送信する。
【００５０】
以下のセクションでは、既存のアーキテクチャＬＴＥへの本発明の適用を詳細に説明する。
【００５１】
図３は、本発明の１つの実施形態を適用することができる移動ネットワークのアーキテクチャを詳細に説明している。
【００５２】
移動端末、すなわち「ユーザ機器」を表すＵＥは、ホームネットワーク１０６を介してコアネットワーク１０５にアクセスすることができる。ホームネットワーク１０６は、ネットワークのアクセス部である「発展型ユニバーサル地上無線アクセスネットワーク（Evolved Universal Terrestrial Radio Access Network）」を表すＥ−ＵＴＲＡＮに対応する。
【００５３】
このタイプのアーキテクチャは、データ交換をハンドリングするためのデータプレーンとシグナリング交換をハンドリングするための制御プレーンとに基づいている。
【００５４】
コアネットワーク１０５は、移動管理エンティティＭＭＥ１０２を備える。ＭＭＥ１０２は、移動端末（ＵＥ）の移動及びセキュリティのハンドリングを担当する制御ノードである。ＭＭＥ１０２は、ＵＥの制御プレーンの接点である。本発明の１つの実施形態では、ＵＥ１００の移動性は、ＭＭＥを変更することなく、１つのホームネットワークの内部でハンドリングされる。
【００５５】
コアネットワークは、サービングゲートウェイ（Ｓ−ＧＷ）１０３も備える。サービングゲートウェイ１０３は、ＵＥのデータプレーンの接点である。サービングゲートウェイは、ＵＥがアクセスネットワークにおいて移動している場合であっても同じままである。
【００５６】
コアネットワーク１０５は、ＰＤＮゲートウェイ１０４を備える。ＰＤＮゲートウェイ１０４は、移動ネットワーク、ＬＴＥネットワーク、及びインターネットネットワーク１１０の間の接点である。一般に、ＰＤＮ  ＧＷ１０４は、ＩＰアドレスのハンドリングを担当する。
【００５７】
コアネットワークはホーム加入者サーバ（ＨＳＳ）２０１及びサービングＧＰＲＳサポートノード（ＳＧＧＮ）２０２をさらに備えることができる。ホーム加入者サーバは、ＵＥのための加入情報及びパラメータ情報を主に含む中央ノードである。サービングＧＰＲＳサポートノードは、３Ｇネットワーク及びＧＳＭネットワークとのデータ交換のハンドリングを担当する。このコアネットワークは、このネットワークにおいてハンドリングされるセッションの課金を担当するポリシー及び課金ルール機能２０３（ＰＣＲＦ（Policy and Charging Rules Function））も備えることができる。
【００５８】
ＬＴＥ標準規格によれば、
−  アクセスネットワーク（又はホームネットワーク）１０６とＭＭＥ１０２との間のインターフェースは、Ｓ１−ＭＭＥインターフェースと呼ばれる。
−  ＭＭＥ１０２とＳＧＳＮ２０２との間のインターフェースは、Ｓ３と呼ばれる。
−  ＭＭＥ１０２とサービングＧＷ１０３との間のインターフェースは、Ｓ１１と呼ばれる。
−  ＭＭＥ１０２とＨＳＳ２０１との間のインターフェースは、Ｓ６ａと呼ばれる。
−  ＳＧＷ１０３とＰＤＮ  ＧＷ１０４との間のインターフェースは、Ｓ５と呼ばれる。
−  ＰＤＮ  ＧＷ１０４とインターネットネットワーク１１０との間のインターフェースは、ＳＧｉと呼ばれる。
−  ＰＤＮ  ＧＷ１０４とＰＣＲＦ２０３との間のインターフェースは、Ｇｘと呼ばれる。
−  ＰＣＲＦ２０３とインターネットネットワーク１１０との間のインターフェースは、Ｒｘと呼ばれる。
【００５９】
本発明の１つの実施形態によれば、ルーティングモジュール２０１は、一方の側でＳ１ベアラインターフェースへのインターフェースとなり、他方の側でホームネットワークにおける少なくとも１つのホームノードＢへのインターフェースとなるように構成される。この方式において、ノードＢ  Ｓ１インターフェースは変更されないままである。
【００６０】
ホームネットワーク部は、幾つかのホームノードＢを含む。
【００６１】
図４は、３つのホームノードＢ１０１−Ａ、１０１−Ｂ、及び１０１−Ｃを備えるＥ−ＵＴＲＡＮネットワーク１０６を示している。ホームノードＢ１０１−Ａ及び１０１−Ｂは、ＭＭＥ１０２にリンクされる。
【００６２】
図５は、本発明の１つの実施形態に従って用いることができる種々のベアラを詳細に示している。２つの離れた移動端末間のエンドツーエンドサービスは、ＵＥ１００とＰ−ＧＷ１０４との間ではＥＰＳ（「発展型パケットシステム」）ベアラ４１に基づき、Ｐ−ＧＷ１０４と他方の移動端末ＵＥ１００との間では外部ベアラ４２に基づく。
【００６３】
ＥＰＳベアラ４１は、ＵＥ１００とＳ−ＧＷ２０２との間ではベアラＥ−ＲＡＢ（「発展型無線アクセスベアラ」を表す）４３からなり、Ｓ−ＧＷ２０２とＰ−ＧＷ１０４との間ではベアラＳ５／Ｓ８ベアラ４４からなる。
【００６４】
より正確には、Ｅ−ＲＡＢベアラ４３は、ＵＥ１００とホームノードＢ１０１との間では無線ベアラ４６で構成され、ホームノードＢとＳ−ＧＷ２０２との間ではＳ１ベアラ４５で構成される。
【００６５】
本発明の１つの実施形態では、ＵＥが移動ネットワークに入るとき、デフォルトベアラが作成される。このステップにおいて、幾つかの追加の専用ベアラを生成することも可能である。
【００６６】
図６は、ＬＴＥアーキテクチャにおける種々のプロトコルスタックを示している。
【００６７】
ＵＥレベルにおけるプロトコルスタックは、
−  アプリケーション層６０１、
−  ＩＰ層６０２、
−  ＰＤＣＰ層６０３、
−  ＲＬＣ層６０４、
−  ＭＡＣ層６０５、
−  Ｌ１層６０６、
を含む。
【００６８】
ホームノードＢにおけるプロトコルスタックは、
−  ＧＴＰ−Ｕ層６１１（ＧＰＲＳトンネリングプロトコルを表す）にマッピングされるＰＤＣＰ層６０７、
−  ＵＤＰ／ＩＰ層６１２にマッピングされるＲＬＣ層６０８、
−  Ｌ２層６１３にマッピングされるＭＡＣ層６０９、
−  Ｌ１層６１４にマッピングされるＬ１層６１０、
を含む。
【００６９】
サービングゲートウェイにおけるプロトコルスタックは、層６１４、６１３、６１２、及び６１１に対応する。ＰＤＮ  ＧＷにおけるプロトコルスタックは、これらの層に対応すると共に、より上位のＩＰ層も有する。
【００７０】
ＵＥとホームノードＢとの間の無線インターフェースにおいて、適用可能なＩＰパケットは、ＰＤＣＰ層を介してトランスポートされ、ＵＴＲＡＮ標準規格に従うＰＤＣＰ−ＳＤＵと見なされる。データ無線ベアラ（すなわちＤＲＢ）は、ＭＡＣ論理チャネルにマッピングされる（１つのＤＣＣＨ（専用制御チャネル）論理チャネルに対して１つのＤＲＢ）。ＤＲＢは、シグナリングメッセージにおいてＤＲＢ識別フィールド（すなわちＲＢ−ＩＤ）を用いて識別される。ＩＰソースアドレスは、ＰＤＮゲートウェイによって割り当てられて各ＤＲＢに付属しているアドレスで埋められる。そして、（Ｈ）ｅＮＢは、各無線ベアラのトラフィックから、対応するコアネットワーク側のＳ１ベアラへのマッピングを担当する。
【００７１】
コアネットワーク側では、ＩＰパケットは標準インターネットプロトコルを用いてトランスポートされる。ホームノードＢとＳ−ＧＷとの間でＳ１ベアラと呼ばれる論理接続が規定され、ＤＲＢとＳ１ベアラとの間に全単射が存在する。Ｓ１ベアラは、Ｓ１−ＴＥＩＤ（トンネル端識別子）を用いて識別される。Ｓ１−ＴＥＩＤは、１つはホームノードＢ用であり、２つ目は発展型パケットコア（ＥＰＣ）用である。トンネリングは、ＵＤＰ／ＩＰに基づくＧＴＰ−Ｕプロトコルを用いて実装される。トンネルは、アップリンクではＥＰＣ  Ｓ１−ＴＥＩＤ（Ｓ−ＧＷにおけるＴＥＩＤ）によって分離され、ダウンリンクではホームノードＢ  Ｓ１−ＴＥＩＤで埋められたＧＴＰ−Ｕヘッダ内のＴＥＩＤフィールドによって分離される。Ｓ１データトランスポートはＴＳ３６．４１４において説明されており、ＧＴＰ−ＵはＴＳ２９．２８１において説明されている。適用可能なＩＰパケットは、ＧＴＰ−ＵペイロードであるＧＴＰ−Ｕパケット内でカプセル化される。
【００７２】
ＴＳ３３．４０１（セクション１２）において推奨されるように、データトラフィックをＩＰＳｅｃトンネル内に保護することが必要である場合がある。データプレーンに関して、ＧＴＰ−Ｕパケットを搬送するＩＰパケットを、ＩＰＳｅｃカプセル化セキュリティペイロード（ＥＳＰ）パケット内に埋め込むことができる。
【００７３】
図７は、本発明の１つの実施形態によるハンドオーバを詳細に示す模式図である。
【００７４】
以下において、同じホームネットワークに属しておりルーティングモジュールを通じてコアネットワークに接続される２つのホームノードＢ間で、本発明の１つの実施形態によるハンドオーバが実行される。その結果として、このハンドオーバの間にＳ−ＧＷは再配置されない。これらの条件において、コアネットワーク側においては、Ｓ１ベアラのみが変更され、Ｅ−ＲＡＢベアラ及びＥＰＳベアラは、ＵＥ  ＩＰアドレスと同様に同一に保たれる。
【００７５】
１つの実施形態では、トラフィック暗号化に起因して、ルーティングモジュールは、ＭＭＥとソースホームノードＢとターゲットホームノードＢとの間で交換されるシグナリングメッセージにアクセスすることができない。しかし、ルーティングモジュールは、データプレーン内のＧＴＰ−Ｕヘッダにアクセスすることができる。
【００７６】
ソースホームノードＢは、ステップ７０１においてハンドオーバのトリガを決定する場合、ＨＯ要求メッセージ２１２（「ハンドオーバ」を表す）をターゲットホームノードＢに送信する。
【００７７】
ターゲットホームノードＢは、メッセージ２１２を受信すると、アドミッション制御ステップ２１３を実行する。ここで、１つの実施形態によれば、ターゲットホームノードＢは、後にバッファリングされるトラフィックをルーティングモジュールから自身に転送できるようにするために、ＵＥに関連付けられているＳ１ベアラごとに１つの一時ダウンリンクトンネルを作成することができる。これらの一時ダウンリンクトンネルは、ＧＴＰダウンリンクトンネルに対応し、ＤＬ  ＴＥＩＤとして参照される。１つの実施形態では、ＵＬ  ＴＥＩＤは変更されないままとすることができる。
【００７８】
その後、ターゲットホームノードＢは、ルーティングモジュールにＨＯ通知メッセージ２１４を送信する。このメッセージ２１４は、ハンドオーバ手順が開始されてターゲットホームノードＢによって受理されたことをルーティングモジュールに知らせる。
【００７９】
本発明の１つの実施形態では、このメッセージ２１４は、ＭＭＥ  Ｓ１レベルにおけるソースホームノードＢの識別子、ＭＭＥ  Ｓ１レベルにおけるターゲットホームノードＢの識別子、ＭＭＥ  Ｓ１レベルにおけるＵＥの識別子、及びハンドオーバによって影響を受けるベアラのリストを含むことができる。このベアラのリストは、一方において、ハンドオーバによって影響を受けるＳ１ベアラに対応するＥ−ＲＡＢの識別子のリストを示し、また、ハンドオーバ時間期間のために一時的に割り当てられるＤＬ  ＴＥＩＤのリストを示す。
【００８０】
また、ターゲットホームノードＢは、ＨＯ要求肯定応答メッセージ７０２をソースホームノードＢに送信する。その後、ソースホームノードＢは、ＲＲＣ接続再構成メッセージ７０４を送信することによってＵＥに対する無線再構成をトリガするが、端末の切離しが有効になるまでデータフロー７１３を通じてアップリンクパケットをコアネットワークに送信し続ける。結果として、ＵＥはソースホームノードＢからの切離し手順を実行し、ターゲットホームノードＢとの同期を行う。
【００８１】
さらに、ソースホームノードＢは、ＳＮステータス転送メッセージ７０５を送信することによって、肯定応答されていないパケットのシーケンス番号のリストをターゲットホームノードＢに送信する。
【００８２】
ルーティングモジュールレベルにおいては、このメッセージ２１４を受信すると、ステップ２１７において、ＨＯ通知メッセージ２１４内に含まれるベアラに関するダウンリンクトラフィックの送信を停止し、これらのダウンリンクベアラから受信するコアネットワークからのダウンリンクパケットのバッファリングを開始することが決定される。Ｓ−ＧＷから受信されるこれら全てのダウンリンクパケット（新着パケットである）をルーティングモジュールのダウンリンクキューに付加することができる。
【００８３】
次に、ルーティングモジュールは、ＨＯ通知応答メッセージ２１５をソースホームノードＢに送信する。このメッセージ２１５は、影響を受けるベアラのリスト（Ｅ−ＲＡＢ  ＩＤを意味する）、及び当該影響を受けるベアラごとのダウンリンク転送ＴＥＩＤを含むことができる。ダウンリンク転送ＴＥＩＤは、本発明の１つの実施形態に従って、ソースホームノードＢからルーティングモジュールにダウンリンクパケットを転送するのに用いられる。
【００８４】
ソースホームノードＢは、このメッセージ２１５を受信すると、肯定応答されていないダウンリンクパケット７０６（ＰＤＣＰ−ＳＤＵを意味する）をルーティングモジュールに転送することができる。
【００８５】
送信に関して肯定応答モードである場合、ソースホームノードＢは、既にオープンされたＵＬトンネルを用いることによって、シーケンスから外れたＵＬ  ＰＤＣＰ  ＳＤＵも転送することができる。これらのＳＤＵは、それらの初期ＰＤＣＰ  ＳＮ（シーケンス番号を表す）を保持するために、ターゲットホームノードＢのキューに入れられる。
【００８６】
ソースホームノードＢによってトリガされた無線再構成がターゲットホームノードＢとＵＥとの間で行われると、ターゲットホームノードＢは、ＲＲＣ接続再構成完了メッセージ７０９を受信する。ターゲットホームノードＢは、このメッセージ７０９を受信すると、ターゲットホームノードとＵＥとの無線リンクが確立されたことをルーティングモジュールに知らせるために、ルーティングモジュールにＨＯ無線準備完了メッセージ７１０を送信する。ターゲットホームノードＢは、このメッセージ７１０が受信された後、無線リンク７１１を通じてＵＥから新たなパケットを受信する。次に、ルーティングモジュールは、データフロー７１２においてターゲットホームノードＢからのデータアップリンクパケットの受信を開始する。肯定応答モードでの送信の場合、ステップ７１３において、ルーティングモジュールは、データフロー７１４を介してアップリンクＰＤＣＰ  ＳＤＵパケットをＳ−ＧＷに送信するのに先だって、そのパケットの再順序付けを担当する。当然ながら、送信が非肯定応答モードで行われる場合、再順序付けステップは有用でない。ルーティングモジュールは、このデータフロー７１４を介してダウンリンクＰＣＤＰ  ＳＤＵパケットを受信し、当該パケットはフローデータ７１６を通じてターゲットホームノードＢに送信される。次に、データフロー７１７を通じて、ＵＥとターゲットホームノードＢとの間にデータ通信リンクが確立される。
【００８７】
ルーティングモジュールは、バッファリングされたパケットをデータフロー７１６及び７１７を通じてＵＥに送信することによって自身のキューを空にする。
【００８８】
次に、ターゲットホームノードＢは、パス切替え要求メッセージ７１８をＭＭＥに送信することによってパス切替えをトリガする。ここで、その目的は、本発明によるハンドオーバの移行時間期間中に行われているように、ＵＥ宛てに送信されたダウンリンクフローデータがルーティングモジュールレベルで正しいＴＥＩＤにマッピングされることを回避するために、Ｓ−ＧＷからターゲットホームノードＢへのダウンリンクパケットのための新たなトンネルを作成することである。
【００８９】
ＭＭＥレベルにおいてパス切替え要求メッセージ７１８を受信すると、ステップ７２０において、ＭＭＥとＳ−ＧＷとの間に新たなダウンリンクパスが確立される。このステップ７２０の終了時に、ＭＭＥは、ルーティングモジュールに「エンドマーカ」メッセージ７２１を送信し、ターゲットホームノードＢにパス切替えＡｃｋメッセージ７２２を送信する。ターゲットホームノードＢは、このメッセージ７２２を受信すると、ＨＯ完了メッセージ７２３をルーティングモジュールに送信する。このメッセージ７２３は、影響を受けるベアラ（Ｅ−ＲＡＢ  ＩＤ）のリスト、及び新たに割り当てられたＵＬ  ＴＥＩＤのリストを含む。ルーティングモジュールは、新たなアップリンクＴＥＩＤによって識別されるＧＴＰ−Ｕトンネルにおいて、アップリンクデータをＳ−ＧＷに送信する。さらに、ターゲットホームノードＢは、ＵＥコンテキスト解放メッセージ７２５をソースホームノードＢに送信する。このステップにおいて、ハンドオーバは完了し、ＵＥはターゲットホームノードＢによってハンドリングされる。
【００９０】
そのようなパス切替え手順中、ターゲットホームノードＢは、このハンドオーバによって影響を受ける全てのＥ−ＲＡＢのダウンリンクＴＥＩＤの変更をルーティングモジュールに知らせるために、ＨＯ−ＴＥＩＤ変更メッセージ７１９をルーティングモジュールに送信する。１つの実施形態では、ルーティングモジュールは、初期ダウンリンクＴＥＩＤにおいてパケットを受信し、古いダウンリンクＴＥＩＤトンネルを介してトランスポートされるデータフローにおいてエンドマーカーメッセージ７２１が受信されるまで、それらのパケットをターゲットホームノードＢに転送する。Ｓ−ＧＷは、新たなダウンリンクＴＥＩＤによって識別されるＧＴＰ−Ｕトンネルにおいて、ダウンリンクデータをターゲットホームノードＢに送信する。
【００９１】
パケットバッファリングの機能をホームノードＢにおいて実装する代わりにデータルーティングモジュールに実装すれば、ホームノードＢは、ハンドオーバ移行時間期間にコアネットワークから受信されるパケットをバッファリングすることをもはや期待されない。ホームネットワークの内部の１つのロケーション（ルーティングモジュールを意味する）にバッファリングを集中させることによって、有利には、メモリリソースをホームネットワークの全てのホームノードＢのために相互に用いることができる。これは、グローバルメモリ利得に対応する。
【００９２】
さらに、肯定応答モードにおける送信の場合、再順序付け機能をルーティングモジュールレベルにおいて実装することができ、単純なホームノードＢを提供することが可能になる。
【００９３】
本発明の１つの実施形態によれば、新着データトラフィックの管理は、もはやソースホームノードＢではなくルーティングモジュールレベルでハンドリングすることができる。これらの特徴によって、ハンドオーバ手順を以前よりも高速に実行することが可能になる。
【００９４】
結果として、ホームノードＢ間で直接通信を管理することはもはや要求されない。この態様によって、特にホームノードＢの数が多い場合に、ホームエリアネットワークの内部での管理を単純にすることが可能になる。
【００９５】
図８は、肯定応答モードの場合における、本発明の１つの実施形態によるルーティングモジュールによるダウンリンクトンネルの使用を示している。
【００９６】
本発明の１つの実施形態によるルーティングモジュールでは、ダウンリンクにおいて、ランダムアクセスキュー８１が用いられ、１つの実施形態に従って受信したＳＤＵのバッファリング及び再順序付けが行われる。
【００９７】
このキュー８１を用いて、転送リンク８４を通じてソースホームノードＢから受信したＳＤＵパケット、及びコアネットワークからの初期ダウンリンク８２から受信したＳＤＵパケットをバッファリングする。ソースホームノードＢから受信されるパケットは、ＤＬ転送ＴＥＩＤによって識別されるＳ１ベアラ内にトランスポートされる肯定応答されていないＳＤＵに対応することができる。コアネットワークから（ここではＳ−ＧＷからを意味する）受信されるパケットは、ハンドオーバが発生する前にコアネットワークとソースホームノードＢとの間で用いられる初期ＴＥＩＤによって識別されるＳ１ベアラ内にトランスポートされる新着データに対応することができる。
【００９８】
１つの実施形態では、このキュー８１は、ＨＯ無線準備完了メッセージの受信時に空にされる。ルーティングモジュールに格納されるＳＤＵは、ルーティングモジュールからターゲットホームノードＢへの一時リンク８５に送信される。この一時リンク８５は、一時ＤＬ  ＴＥＩＤによって識別されるＳ１ベアラに対応する。この一時ＤＬ  ＴＥＩＤは、キュー８１が空になるまで用いられる。ルーティングモジュールにおいて、ＤＬ  ＴＥＩＤ８４（転送リンクを表す）及び一時ＤＬ  ＴＥＩＤ８５（一時リンクを表す）を転送することによって識別されるＳ１ベアラは、ＨＯ完了メッセージの受信時に解放することができる。ハンドオーバに割り当てられるリソースも解放することができ、コアネットワークからターゲットホームノードＢに向かう新たなＤＬ  ＴＥＩＤ８３を用いることができる。
【００９９】
図９は、肯定応答モードの場合における、本発明の１つの実施形態によるルーティングモジュールによるアップリンクトンネルの使用を示している。
【０１００】
アップリンクにおいて、パケットＳＤＵが、単一のＵＬ初期ＴＥＩＤ９３及び９４によって識別されるベアラを介してトランスポートされる。ターゲットホームノードＢは、ＨＯ完了メッセージを受信すると、新たなＵＬ  ＴＥＩＤ９１によって識別されるトランスポートベアラ内にＵＬ  ＳＤＵを放出する。再順序付けが要求されていないので、ハンドオーバに割り当てられるリソースは解放されない。
【０１０１】
そのようなキュー８１は、ＡＲＱ受信において通常行われているように、たとえば既に受信したＳＤＵに対する参照保持テーブル（table keeping reference）を用いて実装することができる。パケットは、テーブルの底部に位置するパケットが受信され、かつリモードデバイス（ダウンリンクにおけるターゲットＨｅＮＢ又はアップリンクにおけるＳ−ＧＷを意味する）がそれらのパケットを受信する準備ができている場合に配信される。
【０１０２】
図１０は、本発明の１つの実施形態によるルーティングモジュールを示している。
【０１０３】
本発明の１つの実施形態によるルーティングモジュール２０１は、
−  ハンドオーバがターゲットホームノードＢによって受理されたことを通知する通知メッセージ２１４を受信するように構成される受信ユニット１００１と、
−  ソースホームノードＢからの転送リンク２１５を作成するように構成されるリンク管理ユニット１００２と、
−  コアネットワークから受信されたパケットを格納すると共に、転送リンクにおいて受信された少なくとも幾つかのパケットを格納するように構成されるメモリ１００３と、
−  後に端末とターゲットホームノードＢとの間に無線リンクが確立した際に、メモリ内のパケットを端末に送信するように構成される送信ユニット１００４と
を備えている。
ここで、転送リンクにおいて受信されたパケットは、一方においては、コアネットワーク宛のパケットであり、他方においては、端末宛であるがソースホームノードＢによって未だ完全に送信されていないパケットである。
【０１０４】
１つの実施形態では、送信ユニット１００４は、転送リンク８４において受信されたコアネットワーク１０５宛のパケットを、メモリ内に格納することなくコアネットワークに転送するようにさらに構成される。
【０１０５】
メモリ１００３は、転送リンクにおいて受信されたコアネットワーク宛のパケットを格納するように構成することができ、
受信ユニットは、端末によってターゲットホームノードＢを通じて送信されたコアネットワーク宛のパケットを受信するように構成され、
ルーティングモジュールは、
−  転送リンクにおいて受信されたコアネットワーク宛のパケット、及び端末によってターゲットホームノードＢを通じて送信されたコアネットワーク宛のパケットを、再順序付けするように構成される再順序付けユニット１００５をさらに備える。
ここで、送信ユニット１００４は、再順序付けされたパケットをコアネットワークに送信するように構成される。
【０１０６】
このルーティングモジュール２０１は、
−  転送リンクにおいて受信された端末宛のパケット、及びコアネットワークから受信されたパケットを、再順序付けするように構成される再順序付けユニット１００５をさらに備えることができる。
ここで、送信ユニット１００４は、再順序付けされたパケットを端末に送信するように構成される。
【０１０７】
ルーティングモジュール２０１は、一時ダウンリンク８５を作成するように構成されたリンク管理ユニット１００２をさらに備えることができる。送信ユニット１００４は、コアネットワーク１０５から受信された端末宛のパケットを当該端末に送信するように構成され、
受信ユニット１００１は、ハンドオーバ完了を示すメッセージを受信するように構成され、
ルーティングモジュールは、メッセージの受信時に一時ダウンリンクを解放するように構成される解放ユニットをさらに備える。
【０１０８】
ホームノードＢ１０１は、少なくとも１つの端末１００のハンドオーバをハンドリングする移動ネットワークのホームネットワーク１０６内に位置し、当該ホームネットワークは、少なくともさらにもう１つのホームノードＢと、本発明の１つの実施形態によるルーティングモジュール２０１とを備える。コアネットワークは、ルーティングモジュールを通じてホームノードＢとリンクされ、
ホームノードＢは、ルーティングモジュールを備える。
【図１】
2011234350.tif 000003
【図２Ａ】
2011234350.tif 000004
【図２Ｂ】
2011234350.tif 000005
【図３】
2011234350.tif 000006
【図４】
2011234350.tif 000007
【図５】
2011234350.tif 000008
【図６】
2011234350.tif 000009
【図７】
2011234350.tif 000010
【図８】
2011234350.tif 000011
【図９】
2011234350.tif 000012
【図１０】
2011234350.tif 000013
【外国語明細書】
2011234350.tif 000014
2011234350.tif 000015
2011234350.tif 000016
2011234350.tif 000017
2011234350.tif 000018
2011234350.tif 000019
2011234350.tif 000020
2011234350.tif 000021
2011234350.tif 000022
2011234350.tif 000023
2011234350.tif 000024
2011234350.tif 000025
2011234350.tif 000026
2011234350.tif 000027
2011234350.tif 000028
2011234350.tif 000029
2011234350.tif 000030
2011234350.tif 000031
2011234350.tif 000032
2011234350.tif 000033
2011234350.tif 000034
2011234350.tif 000035
2011234350.tif 000036
2011234350.tif 000037
2011234350.tif 000038
2011234350.tif 000039
2011234350.tif 000040
2011234350.tif 000041
2011234350.tif 000042
2011234350.tif 000043
2011234350.tif 000044
2011234350.tif 000045
2011234350.tif 000046